(57)【特許請求の範囲】
【請求項１】
指先挿入部を挟んで対向し、指先挿入部を開閉する方向に相対変位自在とされた一対の挟持部材と、
基端側が前記一対の挟持部材のうちの一方の挟持部材に固定されると共に、先端側が他方の挟持部材に係合されることで、前記両挟持部材を連結すると共に他方の挟持部材を一方の挟持部材に向けて付勢する閉バネと、
前記指先挿入部に挿入されて前記一対の挟持部材に挟持された指先に対し光を照射する発光部、及び、該発光部より照射され指先を透過した光または指先から反射した光を受光する受光部と、を有し、
前記閉バネは、その基端側を前記一方の挟持部材に固定した固定点よりも指先挿入方向の手前側の、指先挿入方向に離間した少なくとも２点で、前記他方の挟持部材を押圧していることを特徴とする光電式生体情報測定装置の指先クリップ。
【請求項２】
請求項１に記載の光電式生体情報測定装置の指先クリップであって、
前記閉バネを、先端側を鋭角のＬ字形に屈曲させた線バネで構成し、そのＬ字形に屈曲させた屈曲部を第１の押圧点とし、その屈曲部よりも更に先端側に延出した点を第２の押圧点とし、前記第１の押圧点で、前記他方の挟持部材上の指先挿入方向に離間した２点のうちの指先挿入方向手前側の１点を押圧し、前記第２の押圧点で、それよりも指先挿入方向先方側の１点を押圧したことを特徴とする光電式生体情報測定装置の指先クリップ。
【請求項３】
請求項２に記載の光電式生体情報測定装置の指先クリップであって、
前記線バネよりなる閉バネの基端側にコイル状に巻いたループ部を形成し、そのループ部より延び出した線材の端部を固定端として、その固定端を、前記一方の挟持部材上に形成したブラケットに係合させると共に、前記ループ部を、前記ブラケット上に突設した軸部に嵌め込み、それにより、前記ループ部の捩りバネ性を確保した状態で、閉バネの基端側を一方の挟持部材上のブラケットに固定したことを特徴とする光電式生体情報測定装置の指先クリップ。
【請求項４】
請求項３に記載の光電式生体情報測定装置の指先クリップであって、
前記ループ部と前記屈曲部の間に、該屈曲部と同じ面内で屈曲した第２の屈曲部を有することを特徴とする光電式生体情報測定装置の指先クリップ。
【請求項５】
請求項１〜４のいずれかに記載の光電式生体情報測定装置の指先クリップであって、
前記指先挿入部を開閉する方向と交差する方向への前記両挟持部材の相対変位を規制する規制手段を備えることを特徴とする光電式生体情報測定装置の指先クリップ。
【請求項６】
請求項５に記載の光電式生体情報測定装置の指先クリップであって、
前記規制手段の１つとして、前記両挟持部材間に、前記指先挿入部を開閉する方向への挟持部材の平行移動を案内するガイド機構を設け、このガイド機構として、一方の挟持部材側に凸部を設けると共に、他方の挟持部材側に前記凸部のスライド係合するガイド溝を設けたことを特徴とする光電式生体情報測定装置の指先クリップ。
【請求項７】
請求項６に記載の光電式生体情報測定装置の指先クリップであって、
前記一方の挟持部材に、前記他方の挟持部材に向けて突出し且つ前記閉バネの基端側を固定するためのブラケットを形成し、そのブラケットに前記凸部としての軸部を突設して、その軸部を、他方の挟持部材側に形成したガイド溝にスライド自在且つ揺動自在に嵌合させると共に、前記軸部に前記閉バネの基端側に形成したループ部を嵌め込んで固定したことを特徴とする光電式生体情報測定装置の指先クリップ。
【請求項８】
請求項７に記載の光電式生体情報測定装置の指先クリップであって、
前記他方の挟持部材の左右の外側面に、局部的な膨らみを設けることによって、指で当該他方の挟持部材をつまむためのグリップ部を形成し、それら左右の各グリップ部の内側に前記ガイド溝を形成したことを特徴とする光電式生体情報測定装置の指先クリップ。
【請求項９】
請求項８に記載の光電式生体情報測定装置の指先クリップであって、
前記他方の挟持部材を、前記一方の挟持部材との間に指先挿入部を形成し且つ前記閉バネによる押圧力を受ける本体と、該本体の上面に被せるカバーとで構成し、前記グリップ部を、前記カバーを前記本体に被せたときに本体の外側面に重なるカバー側の突片として形成し、その突片の内側面に、前記カバーを本体に被せたときに本体側の切欠溝とスライド嵌合する嵌合部と、前記ガイド溝とを形成したことを特徴とする光電式生体情報測定装置の指先クリップ。
【請求項１０】
請求項８または９に記載の光電式生体情報測定装置の指先クリップであって、
前記一対の挟持部材に、前記指先挿入部としての略円柱状空間を形成する凹面壁を互いに対向させて形成し、前記グリップ部を形成した他方の挟持部材側の凹面壁にクッション材を張り付け、前記一方の挟持部材の凹面壁を平滑面としたことを特徴とする光電式生体情報測定装置の指先クリップ。
【請求項１１】
請求項８〜１０のいずれかに記載の光電式生体情報測定装置の指先クリップであって、
前記グリップ部を形成した他方の挟持部材を指の甲側に当てるもの、その反対の前記一方の挟持部材を指の腹側に当てるものとし、指の甲側に当てる他方の挟持部材の上面に測定結果等を電子表示する表示部を設けたことを特徴とする光電式生体情報測定装置の指先クリップ。
【発明の詳細な説明】
【技術分野】
【０００１】
本発明は、指先を挿入して挟むことにより、血液中の酸素濃度などの成分を測定する光電式生体情報測定装置の指先クリップに関するものである。
【背景技術】
【０００２】
血液中の酸素濃度などの成分を測定するパルスオキシメータの検出端として、指先を挿入して挟持する指先クリップが用いられている。
【０００３】
図１６は従来の指先クリップの例を概略的に示している（例えば、特許文献１参照）。
この指先クリップは、指先挿入部５を挟んで対向する第１、第２の一対の挟持部材１、２と、指先挿入方向Ｓの先端側に配され、第１、第２の挟持部材１、２を指先挿入部５を開閉する方向に回動自在に連結する軸３と、第１、第２の挟持部材１、２を指先挿入部５を閉じる方向に付勢する閉バネ４と、第１、第２の挟持部材１、２の一方に設けられた発光部（ＬＥＤ）６、及び、他方に設けられ、発光部６から照射され指先を通過した光を受光する受光部（フォトダイオード）７と、を具備しており、図１７に示すように、発光部６と受光部７との間に指先Ｍを挿入して、閉バネ４の力で挟持するように構成されている。この状態で、発光部６から発する光を、指先Ｍの血管内を流れる血液を通して、受光部７で受光することにより、受光部７の出力に基づいて血液中の成分を測定することができる。
【０００４】
図１８は別の従来の指先クリップの例を示している（例えば、特許文献２参照）。
この指先クリップは、指先Ｍを挟む第１、第２の挟持部材２０１、２０２を、指先挿入方向の先方側に設けた係合部２０３、２０４により開閉方向の遊びを持たせて係合し、両挟持部材２０１、２０２を、湾曲形成した閉バネ２０５で閉じ方向に付勢したものである。この指先クリップを使用する場合は、（ａ）に示すように挟持部材２０１、２０２の先端側を摘んで手元側を開いて指先Ｍを挿入し、奥まで入れたら手を離す。そうすると、指先Ｍの太さに応じて係合部２０３、２０４が開方向に変位し、その状態でバネ２０５の力で挟持部材２０１、２０２が指先Ｍを挟む。
【０００５】
【特許文献１】実用新案登録第２５７４６２８号公報
【特許文献２】特表平１０−５０２２６８号公報
【発明の開示】
【発明が解決しようとする課題】
【０００６】
ところで、指の太さには個人差があり、図１６に示した指先クリップのように、１つの軸３と１つの閉バネ４だけで挟持部材１、２を閉方向に付勢する構造では、指全体に挟持部材１、２をフィットさせることは難しい。例えば、図１７（ａ）に示すように、指の太い人は、指先Ｍの先端側だけがきつくなり、根元側がゆるくなってしまう。先端側がきつくなりすぎると血行の妨げになり、根元側がゆるくなりすぎると、外光Ｂの影響を受けやすくなり、正しい測定の障害となる。また、（ｂ）に示すように、指の細い人は、その逆となり、指先Ｍの先端部の隙間からの発光部６の光の回り込みによる影響を受けやすくなる。また、発光部６からの光Ａがずれて受光部７に入射する可能性もある。これらの問題は、発光部６と受光部７が逆についている場合も同様である。
【０００７】
また、図１８に示したものは、両挟持部材２０１、２０２を連結する係合部２０３、２０４に開閉方向の遊びを持たせているので、図１７（ａ）、（ｂ）に示した問題は幾分かは改善されると思われるが、いずれにせよ、バネ２０５で各挟持部材２０１、２０２を押圧する点が１箇所だけであるから、必ずしもフィットした装着ができない場合がある。特に指先側にはバネ２０５の付勢力が作用しにくいので、指先側に隙間ができやすく、場合によっては測定の信頼性を損なうおそれがある。
【０００８】
本発明は、上記事情を考慮し、指先の全体を安定した状態で挟むことができて、良好なフィット性を発揮することができ、測定の信頼性を高めることのできる光電式生体情報測定装置の指先クリップを提供することを目的とする。
【課題を解決するための手段】
【０００９】
請求項１の発明の光電式生体情報測定装置の指先クリップは、指先挿入部を挟んで対向し、指先挿入部を開閉する方向に相対変位自在とされた一対の挟持部材と、基端側が前記一対の挟持部材のうちの一方の挟持部材に固定されると共に、先端側が他方の挟持部材に係合されることで、前記両挟持部材を連結すると共に他方の挟持部材を一方の挟持部材に向けて付勢する閉バネと、前記指先挿入部に挿入されて前記一対の挟持部材に挟持された指先に対し光を照射する発光部、及び、該発光部より照射され指先を透過した光または指先から反射した光を受光する受光部と、を有し、前記閉バネは、その基端側を前記一方の挟持部材に固定した固定点よりも指先挿入方向の手前側の、指先挿入方向に離間した少なくとも２点で、前記他方の挟持部材を押圧していることを特徴とする。
【００１０】
請求項２の発明は、請求項１に記載の光電式生体情報測定装置の指先クリップであって、前記閉バネを、先端側を鋭角のＬ字形に屈曲させた線バネで構成し、そのＬ字形に屈曲させた屈曲部を第１の押圧点とし、その屈曲部よりも更に先端側に延出した点を第２の押圧点とし、前記第１の押圧点で、前記他方の挟持部材上の指先挿入方向に離間した２点のうちの指先挿入方向手前側の１点を押圧し、前記第２の押圧点で、それよりも指先挿入方向先方側の１点を押圧したことを特徴とする。
【００１１】
請求項３の発明は、請求項２に記載の光電式生体情報測定装置の指先クリップであって、前記線バネよりなる閉バネの基端側にコイル状に巻いたループ部を形成し、そのループ部より延び出した線材の端部を固定端として、その固定端を、前記一方の挟持部材上に形成したブラケットに係合させると共に、前記ループ部を、前記ブラケット上に突設した軸部に嵌め込み、それにより、前記ループ部の捩りバネ性を確保した状態で、閉バネの基端側を一方の挟持部材上のブラケットに固定したことを特徴とする。
【００１２】
請求項４の発明は、請求項３に記載の光電式生体情報測定装置の指先クリップであって、前記ループ部と前記屈曲部の間に、該屈曲部と同じ面内で屈曲した第２の屈曲部を有することを特徴とする。
【００１３】
請求項５の発明は、請求項１〜４のいずれかに記載の光電式生体情報測定装置の指先クリップであって、前記指先挿入部を開閉する方向と交差する方向への前記両挟持部材の相対変位を規制する規制手段を備えることを特徴とする。
【００１４】
請求項６の発明は、請求項５に記載の光電式生体情報測定装置の指先クリップであって、前記規制手段の１つとして、前記両挟持部材間に、前記指先挿入部を開閉する方向への挟持部材の平行移動を案内するガイド機構を設け、このガイド機構として、一方の挟持部材側に凸部を設けると共に、他方の挟持部材側に前記凸部のスライド係合するガイド溝を設けたことを特徴とする。
【００１５】
請求項７の発明は、請求項６に記載の光電式生体情報測定装置の指先クリップであって、前記一方の挟持部材に、前記他方の挟持部材に向けて突出し且つ前記閉バネの基端側を固定するためのブラケットを形成し、そのブラケットに前記凸部としての軸部を突設して、その軸部を、他方の挟持部材側に形成したガイド溝にスライド自在且つ揺動自在に嵌合させると共に、前記軸部に前記閉バネの基端側に形成したループ部を嵌め込んで固定したことを特徴とする。
【００１６】
請求項８の発明は、請求項７に記載の光電式生体情報測定装置の指先クリップであって、前記他方の挟持部材の左右の外側面に、局部的な膨らみを設けることによって、指で当該他方の挟持部材をつまむためのグリップ部を形成し、それら左右の各グリップ部の内側に前記ガイド溝を形成したことを特徴とする。
【００１７】
請求項９の発明は、請求項８に記載の光電式生体情報測定装置の指先クリップであって、前記他方の挟持部材を、前記一方の挟持部材との間に指先挿入部を形成し且つ前記閉バネによる押圧力を受ける本体と、該本体の上面に被せるカバーとで構成し、前記グリップ部を、前記カバーを前記本体に被せたときに本体の外側面に重なるカバー側の突片として形成し、その突片の内側面に、前記カバーを本体に被せたときに本体側の切欠溝とスライド嵌合する嵌合部と、前記ガイド溝とを形成したことを特徴とする。
【００１８】
請求項１０の発明は、請求項８または９に記載の光電式生体情報測定装置の指先クリップであって、前記一対の挟持部材に、前記指先挿入部としての略円柱状空間を形成する凹面壁を互いに対向させて形成し、前記グリップ部を形成した他方の挟持部材側の凹面壁にクッション材を張り付け、前記一方の挟持部材の凹面壁を平滑面としたことを特徴とする。
【００１９】
請求項１１の発明は、請求項８〜１０のいずれかに記載の光電式生体情報測定装置の指先クリップであって、前記グリップ部を形成した他方の挟持部材を指の甲側に当てるもの、その反対の前記一方の挟持部材を指の腹側に当てるものとし、指の甲側に当てる他方の挟持部材の上面に測定結果等を電子表示する表示部を設けたことを特徴とする。
【発明の効果】
【００２０】
請求項１の発明によれば、閉バネにより、指先挿入方向に離間した少なくとも２点で他方の挟持部材を一方の挟持部材に向けて押圧しているので、従来のように１点だけに押圧力を作用させる場合と比べて、他方の挟持部材の広い範囲を一方の挟持部材へ向けてバランスよく押し付けることができる。従って、指の太さに関係なく、指先の先端側と根元側に安定した状態で挟持部材をフィットさせることができ、外光による影響や光漏れの影響をあまり受けずに、精度良く指先からの生体情報を測定することができる。
【００２１】
特に閉バネの押圧力を他方の挟持部材に作用させる点を、閉バネの固定点よりも指先挿入方向の手前側に設定しているので、前記固定点よりも指先挿入方向の先方側の挟持部材の寸法を短く設定することができ、コンパクト化に寄与することができる。また、固定点よりも指先挿入方向の手前側に押圧点を設定していることにより、１個の連続した閉バネに２つの押圧点を設定する場合に有利になり、構成の単純化を図ることができて、加工が容易になる。
【００２２】
請求項２の発明によれば、前記閉バネを、先端側を鋭角のＬ字形に屈曲させた線バネで構成し、そのＬ字形に屈曲させた屈曲部を第１の押圧点とし、その屈曲部よりも更に先端側に延出した点を第２の押圧点とし、第１の押圧点で、他方の挟持部材上の指先挿入方向に離間した２点のうちの指先挿入方向手前側の１点を押圧し、第２の押圧点で、それよりも指先挿入方向先方側の１点を押圧するようにしたので、主に閉バネの固定点から第１の押圧点までの長さの設定により、第１の押圧点に作用させる押圧力を決めることができるし、また、主に第１の押圧点から第２の押圧点までの長さの設定により、第２の押圧点に作用させる押圧力を決めることができる。つまり、１本の線バネを使用するものの、第１、第２の押圧点に作用させる押圧力を、それぞれほぼ独立して設定することができるため、押圧バランスを決める上で設計がやりやすい。
【００２３】
請求項３の発明によれば、線バネよりなる閉バネの基端側にコイル状に巻いたループ部を形成し、そのループ部より延び出した線材の端部を固定端として、その固定端を、一方の挟持部材上に形成したブラケットに係合させると共に、ループ部を、ブラケット上に突設した軸部に嵌め込み、それにより、ループ部の捩りバネ性を確保した状態で、閉バネの基端側を一方の挟持部材上のブラケットに固定したので、ループ部の捩りバネ力を、前記第１の押圧点と第２の押圧点に作用させる押圧力の一部として利用することができる。従って、ループ部の巻き量を加減することによって、他方の挟持部材に付与する押圧力の大きさを、大きな範囲で簡単に調整することができる。
【００２４】
請求項４の発明の発明によれば、ループ部と屈曲部の間に、該屈曲部と同じ面内で屈曲した第２の屈曲部を設けたので、閉バネのバネ力をより有効に押圧点に作用させることができるようになる。また、第２の屈曲部を設けたことにより、閉バネの形状や寸法を決める際の設計自由度が広がり、固定点と押圧点の位置関係を、コンパクト化に有利な条件で設定することができる。例えば、閉バネの固定点の高さを低く設定することで、閉バネの基端側を固定しているブラケットの高さを低くすることができて、コンパクト化を有利に進めることができるようになる。
【００２５】
請求項５の発明によれば、指先挿入部を開閉する方向と交差する方向への両挟持部材の相対変位を規制する規制手段を備えたので、前後左右への挟持部材同士のズレを防止することができ、挟持部材を適正な姿勢で指先にフィットさせることができる。
【００２６】
請求項６の発明によれば、前記規制手段の１つとして、両挟持部材間に、指先挿入部を開閉する方向への挟持部材の平行移動を案内するガイド機構を設けたので、挟持部材が開閉する際の動作をスムーズに行うことができる。また、そのガイド機構として、一方の挟持部材側に凸部を設けると共に、他方の挟持部材側に凸部のスライド係合するガイド溝を設けたので、簡略な構成で開閉動作の安定化を図ることができる。
【００２７】
請求項７の発明によれば、一方の挟持部材にブラケットを形成し、そのブラケットに前記凸部としての軸部を突設し、その軸部を、他方の挟持部材側に形成したガイド溝にスライド自在且つ揺動自在に嵌合させ、軸部に閉バネの基端側に形成したループ部を嵌め込んで固定したので、ガイド機構しての凸部と閉バネの支持点とを共通化することができ、構成の単純化が図れる。また、軸部をガイド溝に係合させることで、挟持部材を揺動自在としているので、指先の形状に応じて挟持部材を確実にフィットさせることができる。
【００２８】
請求項８の発明によれば、他方の挟持部材の左右の外側面に、局部的な膨らみを設けることによって、指で当該他方の挟持部材をつまむためのグリップ部を形成し、それら左右の各グリップ部の内側に前記ガイド溝を形成したので、そのグリップ部を設けた部分だけを除いて、挟持部材の他の部分の幅を小さくすることができる。つまり、挟持部材の主たる部分の幅を大きくすることなく、ガイド機構部分を作るスペースを容易に確保することができる。
【００２９】
請求項９の発明によれば、他方の挟持部材を本体とカバーで構成し、グリップ部を、カバーを本体に被せたときに本体の外側面に重なるカバー側の突片として形成し、その突片の内側面に、カバーを本体に被せたときに本体側の切欠溝とスライド嵌合する嵌合部と、ガイド溝とを形成したので、カバーを被せたときに初めて、ガイド溝と軸部とを係合させることができる。従って、カバーを被せない前段階では、ブラケット及び軸部をあまり拘束しないで済み、ブラケットや軸部に閉バネの基端側を組み付ける際の作業がやりやすくなる。また、カバーを本体に被せた段階では、軸部にカバー側のガイド溝が確実に係合するので、精度よく挟持部材の動きを案内することができる。
【００３０】
請求項１０の発明によれば、グリップ部を形成した他方の挟持部材側の凹面壁にクッション材を張り付けると共に、一方の挟持部材の凹面壁を平滑面としてあるので、グリップ部をつまんで他方の挟持部材を持ち上げながら、測定する方の指先で一方の挟持部材を押し下げつつ、そのまま平滑な凹面壁に指先を滑らせて適正位置まで挿入することができる。従って、敢えて挟持部材を開いた状態にした上で、測定する指先を挿入するという面倒な手順を踏む必要がなく、指先を滑らせながら簡単に測定位置まで挿入することができる。そして挿入した状態では、片方の凹面壁のクッション材の働きにより、安定した状態で柔らかく指先を挟むことができる。つまり、無理矢理に指先を挿入しようとした場合でも、うまく挿入することができるし、確実に指にフィットさせることができる。
【００３１】
請求項１１の発明によれば、グリップ部を形成した他方の挟持部材を指の甲側に当てるものとし、その反対の一方の挟持部材を指の腹側に当てるものとし、指の甲側に当てる他方の挟持部材の上面に測定結果等を電子表示する表示部を設けたので、指先の腹側で一方の挟持部材を押し下げつつ、そのまま平滑な凹面壁に指先の腹を滑らせることで、指先を適正な位置まで容易に挿入することができる。また、挿入した状態で、手の甲側に表示部が位置するので、表示部が見やすく、測定しやすい。
【発明を実施するための最良の形態】
【００３２】
以下、本発明の実施形態を図面を参照しながら説明する。
図１（ａ）は本発明の実施形態の指先クリップを要部の位置で切った断面図であり、（ａ）は水平断面図、（ｂ）は横断面、（ｃ）は側断面図である。図２は実施形態の指先クリップの外観図であり、（ａ）は平面図、（ｂ）は指先挿入側から見た正面図、（ｃ）は側面図である。図３は実施形態の指先クリップに使用する閉バネの側面図であり、（ａ）は組み付け前の自由状態での形態を示す側面図、（ｂ）は組み付け時の形態を示す側面図である。図４は閉バネの変形の仕方を場合分けして示す側面図である。図５は実施形態の指先クリップを構成する挟持部材の概略的な分解側面図、図６はその要部の拡大側面図、図７は図６と同じ要部を水平方向に沿った面で切った断面図であり、（ａ）は上側挟持部材の本体にカバーを組み付ける前の状態を示す断面図、（ｂ）は組み付けた状態を示す断面図である。
【００３３】
本実施形態の指先クリップは、光電式生体情報測定装置（例えば、パルスオキシメータ）の指先クリップであり、図１に示すように、指先挿入部５を挟んで対向し、指先挿入部５を開閉する方向に相対変位自在とされた第１、第２の上下一対の挟持部材１、２と、下側の挟持部材２上の指先挿入方向〔図１（ｂ）の左から右へ向かう方向〕の中間部に、上側の挟持部材１に向けて立設された左右一対のブラケット１１と、基端側がブラケット１１に固定されると共に、先端側が上側の挟持部材１に係合されることで、両挟持部材１、２を連結すると共に、上側の挟持部材１を下側の挟持部材２に向けて付勢する左右一対の閉バネ２０と、上側と下側の挟持部材１、２の一方に設けられた発光部６、及び、他方に設けられ、発光部６から照射され、上側と下側の挟持部材１、２で挟持された指先Ｍを透過した光を受光する受光部７と、を具備している。なお、パルスオキシメータの場合は、発光部６は、赤外光と赤色光を出射する機能を有している。
【００３４】
閉バネ２０は、その基端側をブラケット１１に固定した固定点よりも指先挿入方向の手前側の、指先挿入方向に離間した少なくとも２点で、上側の挟持部材１を押圧している。図１では、その２点を、押圧力ＦＡが作用する点と、押圧力ＦＢが作用する点として示してある。
【００３５】
より具体的に説明すると、左右の各閉バネ２０は、先端側を鋭角のＬ字形に屈曲させた線バネで構成されており、そのＬ字形に屈曲させた屈曲部２０ｄを第１の押圧点２１とし、その屈曲部２０ｄよりも更に先端側に延出した端末点２０ｅを第２の押圧点２２とし、第１の押圧点２１で、上側の挟持部材１上の指先挿入方向に離間した２点のうちの指先挿入方向手前側の１点を力ＦＡで押圧し、第２の押圧点２２で、それよりも指先挿入方向先方側の１点を力ＦＢで押圧している。押圧力ＦＡ、ＦＢの反力ＦＣは、下側の挟持部材２に突設したブラケット１１で受けている。
【００３６】
従って、それらの押圧力ＦＡ、ＦＢによって、挟持部材１、２は、指先挿入部５を閉じる方向に付勢されている。なお、力ＦＡ、ＦＢ、ＦＣは、挟持部材１、２の相互の状態に応じて変化する量である。また、閉バネ２０上の第１の押圧点２１と第２の押圧点２２の間は直線状になっており、その直線部分２３の全体が上側の挟持部材１を下向きに押圧している。
【００３７】
図１及び図３に示すように、線バネよりなる閉バネ２０の基端側には、コイル状に巻いたループ部２０ａが形成されており、そのループ部２０ａより延び出した線材の端部が固定端２０ｂとしてブラケット１１に係合されると共に、ループ部２０ａがブラケット１１の側面に突設した円柱突起状の軸部１２に嵌め込まれている。そしてそれにより、ループ部２０ａの捩りバネ性を確保した状態で、閉バネ２０の基端側が上側の挟持部材１上のブラケット１１に固定されている。なお、下側の挟持部材２に突設されたブラケット１１は、上側の挟持部材１の底板に形成した切欠部１ｋより上側の挟持部材１の内部に挿入されている。
【００３８】
閉バネ２０は、自由状態で図３（ａ）に示すように作られ、組み付け状態で図３（ｂ）に示すような形態となるものであって、基端側にループ部２０ａを有し、先端側が鋭角のＬ字形に屈曲形成され、その先端側の第１の屈曲部２０ｄと基端側のループ部２０ａとの間の、ループ部２０ａに近い位置に、第１の屈曲部２０ｄと同じ面内で略直角に屈曲した第２の屈曲部２０ｃを有している。
【００３９】
この閉バネ２０に発生するバネ力は、主として、ループ部２０ａの捩りと、第２の屈曲部２０ｃの曲げと、第１の屈曲部２０ｄの曲げと、全体の撓み等で決まり、図３（ｂ）に示す形態で組み付けられた際の第１の押圧点２１による押圧力ＦＡ（図１参照）は、初期状態において与えられたループ部２０ａの巻き量や、第２の屈曲部２０ｃの曲げ角αや、第２の屈曲部２０ｃから第１の屈曲部２０ｄまでの長さＬＡ等によって決まる。また、第２の押圧点２２による押圧力ＦＢ（図１参照）は、主に第１の屈曲部２０ｄの曲げ角βや第１の屈曲部２０ｃから端末点２０ｅまでの長さＬＢの設定によって決まる。
【００４０】
例えば、この閉バネ２０を設計する場合は、基端側を固定点として、第２の屈曲部２０ｃの曲げ角度αと、第２の屈曲部２０ｃから第１の屈曲部２０ｄまでの長さＬＡを決めることで、第１の押圧点２１の押圧力ＦＡを決めることができる。次いで、第１の屈曲部２０ｄの曲げ角度βと、その先の直線部分２３の長さＬＢを決めることで、第２の押圧点２２の押圧力ＦＢを決めることができる。この場合、第２の押圧点２２を、第１の押圧点２１となる屈曲部２０ｄの更に先端側に配置しているので、第２の押圧点２２の押圧力ＦＢを決める際には、第１の押圧点２１の押圧力ＦＡへの影響を最小限に抑えることができる。
【００４１】
また、本実施形態の指先クリップには、指先挿入部５を開閉する方向と交差する方向への両挟持部材１、２の相対変位を規制する規制手段が備わっている。その規制手段の１つとして、両挟持部材１、２の間には、指先挿入部５を開閉する方向への挟持部材１、２の平行移動を案内するガイド機構が設けられている。このガイド機構は、下側の挟持部材２のブラケット１１の側面に凸部として設けられた短円柱状の軸部１２と、上側の挟持部材１に設けられ、前記軸部１２がスライド係合するガイド溝１３とから構成されている。この場合の軸部１２は、閉バネ２０の基端側のループ部２０ａの支持部を兼ねるものであり、その軸部１２が、ガイド溝１３にスライド自在且つ揺動自在に嵌合することで、ガイド機構が構成されている。
【００４２】
また、この実施形態の指先クリップでは、図１、図２に示すように、上側の挟持部材１のガイド溝１３を設ける位置の左右の外側面に、局部的な膨らみを設けることによって、指で当該挟持部材１をつまみやすくするためのグリップ部８０が形成されており、これら左右の各グリップ部８０の内側面に、上下方向に沿ったガイド溝１３が形成されている。
【００４３】
この場合、図５、図６に示すように、上側の挟持部材１は、下側の挟持部材２との間に指先挿入部５を形成し且つ閉バネ２０による押圧力を受ける本体１Ａと、本体１Ａの上面に被せるカバー１Ｂとで構成されており、グリップ部８０は、カバー１Ｂを本体１Ａに被せたときに本体１Ａの外側面に重なるカバー１Ｂ側の突片として形成されている。そして、その突片として設けられたグリップ部８０の内側面に、カバー１Ｂを本体１Ａに被せたときに本体１Ａ側の切欠溝１０１とスライド嵌合する嵌合部１０３と、前記ガイド溝１３とが形成されている。切欠溝１０１の幅は、ガイド溝１３にスライド係合する軸部１２より十分に大きく設定されており、図７に示すように、この切欠溝１０１にグリップ部８０の内面の嵌合部１０３を嵌めることで、ガイド溝１３と軸部１２が嵌まり合っている。
【００４４】
このように、ガイド溝１３を設ける側の挟持部材１の左右の外側面に、局部的な膨らみによるグリップ部８０を形成し、それら各グリップ部８０の内側面にガイド溝１３を形成しているので、そのグリップ部８０を設けた部分だけを除いて、挟持部材１の他の部分の幅を小さくすることができる。つまり、挟持部材１の主たる部分の幅を大きくすることなく、軸部１２とガイド溝１３よりなるガイド機構を作るスペースを容易に確保することができ、指先クリップの小型化に寄与することができる。
【００４５】
なお、グリップ部８０は、２本の指で挟持部材１をつまみやすくするために設けるものであるから、指先にフィットして、滑りにくい形状にするのが望ましい。例えば、外側面に滑り止め用に小さな凹凸を付けるとか、外側面を僅かな曲率の凸曲面にするとかの工夫を施しておくのがよい。
【００４６】
また、図１（ｃ）に示すように、上下の挟持部材１、２には、指先挿入部５としての略円柱状空間を形成するための凹面壁３１、３２が互いに対向して形成されており、グリップ部８０を形成した上側の挟持部材１側の凹面壁３１には、ゴムや柔らかい樹脂あるいは発泡材等からなるクッション材（図示略）が接着により張り付けられている。但し、下側の挟持部材２の凹面壁３２だけは、樹脂成形したままの平滑面として残してある。また、グリップ部８０を形成した上側の挟持部材１が指の甲側に当てるもの、その反対の下側の挟持部材２が指の腹側に当てるものとされており、指の甲側に当てる上側の挟持部材１の上面に、測定結果等を電子表示するための表示部９０が設けられている。
【００４７】
次に作用を説明する。
この指先クリップは、ブラケット１１で基端側を保持した閉バネ２０の先端側により、指先挿入方向に離間した少なくとも２点で上側の挟持部材１を下側の挟持部材２に向けて押圧しているので、従来のように１点だけに押圧力を作用させる場合と比べて、上側の挟持部材１の広い範囲を、下側の挟持部材２へ向けてバランスよく押し付けることができる。
【００４８】
例えば、図４（ａ）の閉じた状態から（ｂ）のように上側の挟持部材１をやや開いた状態にした場合、また（ｃ）のようにより大きく開いた状態にした場合、また（ｄ）のように指先側が多く開いた状態にした場合のいずれの場合にも、第１の押圧点２１と第２の押圧点２２に矢印ＦＡ、ＦＢで示す独立した押圧力を働かせることができるので、指先に対し挟持部材１をうまくフィットさせることができる。従って、指の太さに関係なく、指先の先端側と根元側に安定した状態で挟持部材１、２をフィットさせることができて、外光による影響や光漏れの影響をあまり受けずに、精度良く指先からの生体情報を測定することができる。
【００４９】
図８は指先クリップの指先に対するフィット性を示す説明図である。
指先Ｍを上下の挟持部材１、２で挟んだとき、（ａ）のように左右同じバランスで指先Ｍを挟むのが最も望ましい形であるが、（ｂ）、（ｃ）に示すように、挟持部材１、２が傾いた形で指先Ｍを挟むこともある。このように左右に傾いた形になった場合にも、左右の閉バネ２０がバランスよく支持するので、無理なく安定して指先Ｍを挟むことができ、指先Ｍの挿入位置の横ズレにも柔軟に対応することができる。従って、発光部６と受光部７に対し、指先Ｍを適正に位置決めすることができる。
【００５０】
なお、図８（ｂ）、（ｃ）のように挟持部材１、２が左右方向に相対的に傾いた場合、図１０（ａ）に示すように発光部６の光軸と受光部７の光軸がずれることで感度の悪化が懸念されるが、図１０（ｂ）に示すように、指先Ｍの内部では照射された光が十分に拡散されるため、受光感度にはほとんど影響がない。つまり、多少の光軸のずれは、測定精度にほとんど影響を与えるものではない。
【００５１】
図９は指先クリップの指先に対する別のフィット性を示す説明図である。
指先Ｍを上下の挟持部材１、２で挟んだとき、指先の太さの変化（傾斜またはテーパともいう）の大きさによって挟み方が異なることがある。そのような場合、前記の指先クリップでは、挟持部材１、２が相互に自由な動きをすることができるので、（ａ）〜（ｃ）のように、指先Ｍの形状の違いに応じて柔軟に対応することができる。つまり、挟持部材１、２の相互の角度が自由に変化することによって、無理なく確実に指先Ｍを挟むことができる。従って、発光部６と受光部７に対し、指先Ｍを適正に位置決めすることができる。
【００５２】
特に本発明の実施形態の場合、閉バネ２０の押圧力を上側の挟持部材１に作用させる点（押圧点）を、閉バネ２０の固定点（ブラケット１１の位置）よりも指先挿入方向の手前側に設定しているので、前記固定点よりも指先挿入方向の先方側の挟持部材１、２の寸法を短く設定することができ、コンパクト化に寄与することができる。また、前記固定点よりも指先挿入方向の手前側に押圧点２１、２２を設定しているので、連続した１本の閉バネに２つの押圧点を設定する場合に構成の単純化を図ることができて、加工が容易になる。
【００５３】
また、前記閉バネ２０を、先端側を鋭角のＬ字形に屈曲させた線バネで構成し、そのＬ字形に屈曲させた屈曲部２０ｄを第１の押圧点２１とし、その屈曲部２０ｄよりも更に先端側に延出した点を第２の押圧点２２とし、第１の押圧点２１で、上側の挟持部材１上の指先挿入方向に離間した２点のうちの指先挿入方向手前側の１点を押圧し、第２の押圧点２２で、それよりも指先挿入方向先方側の１点を押圧するようにしたので、主に閉バネ２０の固定点から第１の押圧点２１までの長さＬＡ（図３参照）の設定により、第１の押圧点２１に作用させる押圧力ＦＡを決めることができるし、主に第１の押圧点２１から第２の押圧点２２までの長さＬＢ（図３参照）の設定により、第２の押圧点２２に作用させる押圧力ＦＢを決めることができる。つまり、１本の線バネを使用するものの、第１、第２の押圧点２１、２２に作用させる押圧力を、それぞれほぼ独立して設定することができ、押圧バランスを決める上での設計がやりやすい。
【００５４】
また、線バネよりなる閉バネ２０の基端側にコイル状に巻いたループ部２０ａを形成し、そのループ部２０ａより延び出した線材の端末部を固定端２０ｂとして、その固定端２０ｂを、下側の挟持部材２上に形成したブラケット１１に係合させると共に、ループ部２０ａを、ブラケット１１上に突設した軸部１２に嵌め込み、それにより、ループ部２０ａの捩りバネ性を確保した状態で、閉バネ２０の基端側を下側の挟持部材２上のブラケット１１に固定しているので、ループ部２０ａの捩りバネ力を、第１の押圧点２１と第２の押圧点２２に作用させる押圧力ＦＡ、ＦＢの一部として利用することができる。従って、ループ部２０ａの巻き量を加減することによって、上側の挟持部材１に付与する押圧力ＦＡ、ＦＢの大きさを、大きな範囲で簡単に調整することができる。
【００５５】
また、ループ部２０ａと屈曲部２０ｄの間に、該屈曲部２０ｄと同じ面内で屈曲した第２の屈曲部２０ｃを設けているので、閉バネ２０のバネ力をより有効に押圧点２１、２２に作用させることができるようになる。さらに、第２の屈曲部２０ｃを設けたことにより、閉バネ２０の形状や寸法を決める際の設計自由度が広がり、固定点（ブラケット１１で保持した部分）と押圧点２１、２２の位置関係を、コンパクト化に有利な条件で自由に設定することができる。例えば、閉バネ２０の固定点の高さを低く設定することで、閉バネ２０の基端側を固定しているブラケット１１の高さを低くすることができて、コンパクト化を有利に進めることができるようになる。
【００５６】
また、指先挿入部５を開閉する方向と交差する方向への両挟持部材１、２の相対変位を規制するガイド機構（軸部１２とガイド溝１３）を備えるので、前後左右への挟持部材１、２同士のズレを防止することができ、挟持部材１、２を適正な姿勢で指先Ｍにフィットさせることができる。特にガイド機構は、指先挿入部５を開閉する方向への挟持部材１、２の平行移動を案内するものであるから、挟持部材１、２が開閉する際の動作をスムーズに行うことができる。また、そのガイド機構を軸部１２とガイド溝１３で構成したので、簡略な構成で開閉動作の安定化を図ることができる。
【００５７】
また、下側の挟持部材１にブラケット１１を形成し、そのブラケット１１に軸部１２を突設し、その軸部１２を、上側の挟持部材１側に形成したガイド溝１３にスライド自在且つ揺動自在に嵌合させ、軸部１２に閉バネ２０の基端側に形成したループ部２０ａを嵌め込んで固定しているので、ガイド機構しての軸部１２と閉バネ２０の支持点とを共通化することができ、構成の単純化が図れる。また、軸部１２をガイド溝１３に係合させることで、挟持部材１、２を揺動自在としているので、指先Ｍの形状に応じて挟持部材１、２を確実にフィットさせることができる。
【００５８】
また、上述したように、上側の挟持部材１の左右の外側面にグリップ部８０を形成し、各グリップ部８０の内側面に前記ガイド溝１３を形成したので、挟持部材１の主たる部分の幅を大きくすることなく、ガイド機構を作るスペースを容易に確保することができる。
【００５９】
特に、上側の挟持部材１を本体１Ａとカバー１Ｂで構成し、グリップ部８０を、カバー１Ｂを本体１Ａに被せたときに本体１Ａの外側面に重なるカバー１Ｂ側の突片として形成し、その突片の内側面に、カバー１Ｂを本体１Ａに被せたときに本体１Ａ側の切欠溝１０１とスライド嵌合する嵌合部１０３と、ガイド溝１３とを形成したので、カバー１Ｂを被せたときに初めて、ガイド溝１３と軸部１２とを係合させることができる。従って、カバー１Ｂを被せない前段階では、ブラケット１１及び軸部１２をあまり拘束しないで済み、ブラケット１１や軸部１２に閉バネ２０の基端側を組み付ける際の作業がやりやすくなる。また、カバー１Ｂを本体１Ａに被せた段階では、軸部１２にカバー１Ｂ側のガイド溝１３が確実に係合するので、精度よく挟持部材１、２の動きを案内することができる。
【００６０】
また、グリップ部８０を形成した上側の挟持部材１側の凹面壁３１にクッション材を張り付けると共に、下側の挟持部材２の凹面壁３２を平滑面としてあるので、グリップ部８０をつまんで上側の挟持部材１を持ち上げながら、測定する方の指先Ｍで下側の挟持部材２を押し下げつつ、そのまま平滑な凹面壁３２に指先Ｍを滑らせて適正位置まで挿入することができる。従って、敢えて挟持部材１、２を開いた状態にした上で、測定する指先Ｍを挿入するという面倒な手順を踏む必要がなく、指先Ｍを滑らせながら簡単に測定位置まで挿入することができる。そして、挿入した状態では、片方の凹面壁３１のクッション材の働きにより、安定した状態で柔らかく指先Ｍを挟むことができる。つまり、無理矢理に指先Ｍを挿入しようとした場合でも、うまく挿入することができるし、確実に指先Ｍに挟持部材１、２をフィットさせることができる。
【００６１】
また、本実施形態の指先クリップの場合、構造自体で挟持部材１、２を指先Ｍにフィットさせるので、クッション材を張り付けるに当たっても、滑り止め程度の薄いクッション材を設けるだけで十分である。従って、クッション材を薄くできることから、クッション材を設けた側のセンサ（ここでは発光部６）と指との間の距離を最小限にすることができ、センサの感度アップを図ることができる。また一方で、発光輝度を下げて、低消費電力化を図ることもできる。
【００６２】
また、グリップ部８０を形成した上側の挟持部材１を指の甲側に当てるものとし、その反対の下側の挟持部材２を指の腹側に当てるものとし、指の甲側に当てる上側の挟持部材１の上面に測定結果等を電子表示する表示部９０を設けたので、指先Ｍの腹側で下側の挟持部材２を押し下げつつ、そのまま平滑な凹面壁３２に指先Ｍの腹を滑らせることで、指先Ｍを適正な位置まで容易に挿入することができる。また、挿入した状態で、手の甲側に表示部９０が位置するので、表示部が見やすく、測定しやすい。
【００６３】
なお、上の説明では、クッション材を上側の挟持部材１の凹面壁３１に張り付けたが、反対に、下側の挟持部材２の凹面壁３２にクッション材を張り付けてもよい。その場合は、上側の挟持部材１の平滑な凹面壁３１に対して指先を滑らせながら挿入すればよい。ただし、その操作を行う場合は、下側の挟持部材２を指でつまむことになるので、操作性の点からは、下側の挟持部材２にグリップ部を設けるのが望ましい。
【００６４】
つまり、操作の点からは、指でつまむ側にグリップ部を設ければよいのであって、上側の挟持部材１にグリップ部を設けてもよいし、下側の挟持部材２にグリップ部を設けてもよいし、両方の挟持部材１、２にグリップ部を設けてもよい。しかし、ガイド溝１３を覆い隠すという点では、ガイド溝１３を設けた側にグリップ部８０が設けてある方が都合がよい。
【００６５】
また、発光部６と受光部７の配置は上記と逆であってもよい。また、必ずしも各挟持部材１、２の一方に発光部６を設け、他方に受光部７を設けることに限定されるものでもない。要するに、挟持部材１、２で指先を挟持した際に、発光部６から指先に向けて光を出射し、受光部７がその光を指先を介して受光できる関係であればよい。
【００６６】
例えば、図１１（ａ）、（ｂ）に示すように、上側（指の甲側）の挟持部材１または下側（指の腹側）の挟持部材２に発光部６と受光部７を縦並びに（指先挿入方向に並べて）設けてもよいし、図１２（ａ）、（ｂ）に示すように、上側の挟持部材１または下側の挟持部材２に発光部６と受光部７を横並び（指先挿入方向と交差する方向に並べて）に設けてもよい。このように発光部６と受光部７を同じ挟持部材１、２側に設けた場合、受光部７は、発光部６から照射された光の指からの反射光や拡散光を受光して信号を出力することになる。
【００６７】
次に本発明の別の実施形態を図１３を用いて説明する。
この実施形態の指先クリップは、本発明の原理的な構成を示すもので、閉バネ２０の基端部を、前記実施形態のような軸部を介さずに、ブラケット１１に固定している。ブラケット１１にはガイド機構を構成する軸部がなく、従って上側の挟持部材１にガイド溝は設けられていない。つまり、本発明にとって、軸部やガイド溝は、必須の構成要件ではないということを意味している。
【００６８】
上下の挟持部材１、２を連結するのは、あくまで閉バネ２０であり、閉バネ２０の先端側の係合構造により、上側の挟持部材１の動きを規制している。つまり、閉バネ２０の先端部が上側の挟持部材１の溝状部分１ｍに係合することで、上側の挟持部材１を前後方向（指先挿入方向）及び左右方向（指先挿入方向と直交する水平方向）に移動規制している。上側の挟持部材１が動くことができるのは、閉バネ２０を撓ませながらの上下方向だけであり、上側の挟持部材１は、上下方向に平行移動が可能であり、また、上下方向に若干の揺動が可能となっている。ブラケット１１は、単に閉バネ２０の基端部を支持するためだけに設けてあり、上下の挟持部材１、２を回動可能に連結するような役目を持つものではない。
【００６９】
その他の点は、前記実施形態と同様であり、閉バネ２０の先端側の第１の押圧点２１と第２の押圧点２２は、指先挿入方向に離間した２点で、上側の挟持部材１を力ＦＡ、ＦＢで押圧している。
【００７０】
この実施形態の場合も、構成が同じ点において、前記実施形態と同様の作用効果を得ることができる。
【００７１】
図１４は本発明の比較例（本発明には含まれない）としての指先クリップを示している。この比較例では、（ａ）に示すように、指先挿入方向に離間した２つの閉バネ１２１、１２２で、上下の挟持部材１、２を閉方向に付勢している。
【００７２】
上下の挟持部材１、２が平行移動して開くと、（ｂ）、（ｃ）に示すように２つの閉バネ１２１、１２２のバネ力によって、上下の挟持部材１、２に指先挿入方向の広い範囲にわたって閉方向の付勢力が作用する。また（ｄ）、（ｅ）に示すように挟持部材１、２が傾斜した状態になっても、上下の挟持部材１、２に指先挿入方向の広い範囲にわたってバランスよく閉方向の付勢力が作用する。従って、本発明と同様に、挟持部材１、２を指先Ｍにうまくフィットさせることができると思われる。
【００７３】
しかしながら、この比較例の場合、２つの押圧点に押圧力を作用させるために、２つの閉バネ１２１、１２２を用いており、部品点数が増えてしまい、構成が複雑になるという欠点がある。
【００７４】
この点、本発明は、図１３に例を示すように、閉バネ２０の固定点（ブラケット１１のある部分）よりも指先挿入方向の手前側に、閉バネ２０の２つの押圧点２１、２２を設けているので、閉バネ２０を１つの線バネによって簡単に構成することができる。従って、指先クリップの構造の簡略化に資するところが大きく、大幅なコストダウンに貢献できる。
【００７５】
図１５は本発明の別の比較例（本発明には含まれない）として示す指先クリップを示している。この比較例では、（ａ）に示すように、天秤型の閉バネ２０の中間ループ部１２８をブラケット１１の軸部１２で支持しており、閉バネ２０の一端側１２６に設けた第１の押圧点１２６ａにより、ブラケット１１よりも指先挿入方向の手前側で、上側の挟持部材１を押圧している。また、閉バネ２０の他端側１２７に設けた第２の押圧点１２７ａにより、ブラケット１１よりも指先挿入方向の先方側で、上側の挟持部材１を押圧している。各押圧点１２６ａ、１２７ａには、下向きの力ＦＡ、ＦＢが作用しており、上側の挟持部材１を指先挿入方向の広い範囲にわたりバランスよく押圧している。
【００７６】
従って、本発明と同様に、挟持部材１、２を指先Ｍにうまくフィットさせることができると思われる。
【００７７】
しかしながら、この閉バネ１２５は、図１５（ｂ）に示すように、ブラケット１１の軸部１２に嵌合するループ部１２８の両側に、それぞれに必要な押圧力を発生するバネ部分（一端側１２６、他端側１２７）を設けた天秤型のものであるため、片方のバネ部分（例えば、一端側１２６）の押圧力を変えると、他方のバネ部分（例えば、他端側１２７）押圧力にも影響が出てしまい、押圧力の調整が難しく、そのためバネの加工に手間がかかるという問題がある。また、ブラケット１１を挟んだ先方側と手前側で押圧力を加えるので、ブラケット１１の先方側の寸法を短縮するのが難しいという問題もある。
【００７８】
この点、本発明は、図１３に例を示したように、閉バネ２０の固定点（ブラケット１１のある部分）よりも指先挿入方向の手前側に閉バネ２０の２つの押圧点２１、２２を設定しているので、２つの押圧点２１、２２を、例えば、１本の線バネの先端を鋭角のＬ字形に屈曲させることで容易に作ることができる。しかも、上述したように第１、第２の押圧点２１、２２の押圧力の設定がそれぞれ独立して簡単にできる。従って、コストダウンに寄与するところが大である。
【図面の簡単な説明】
【００７９】
【図１】（ａ）は本発明の実施形態の指先クリップを要部の位置で切った断面図であり、（ａ）は水平断面図、（ｂ）は横断面、（ｃ）は側断面図である。
【図２】実施形態の指先クリップの外観図であり、（ａ）は平面図、（ｂ）は指先挿入側から見た正面図、（ｃ）は側面図である。
【図３】実施形態の指先クリップに使用する閉バネの側面図であり、（ａ）は組み付け前の自由状態での形態を示す側面図、（ｂ）は組み付け時の形態を示す側面図である。
【図４】前記閉バネの変形の仕方を場合分けして示す側面図である。
【図５】実施形態の指先クリップを構成する挟持部材の概略的な分解側面図である。
【図６】図５の要部の拡大側面図である。
【図７】図６と同じ要部を水平方向に沿った面で切った断面図であり、（ａ）は上側挟持部材の本体にカバーを組み付ける前の状態を示す断面図、（ｂ）は組み付けた状態を示す断面図である。
【図８】（ａ）〜（ｃ）は、実施形態の指先クリップのフィット性についての説明用の横断面図である。
【図９】（ａ）〜（ｃ）は、実施形態の指先クリップのフィット性についての別の説明用の縦断面図である。
【図１０】（ａ）は発光部と受光部の光軸がずれた場合の例を示す図、その場合の問題がないことを示す図である。
【図１１】（ａ）、（ｂ）は発光部と受光部の別の配置例を示す図である。
【図１２】（ａ）、（ｂ）は発光部と受光部の更に別の配置例を示す図である。
【図１３】本発明の別の実施形態を示す断面図であり、（ａ）は閉じた状態の断面図、（ｂ）は細い指先を挿入した場合の断面図、（ｃ）は多少太めの指先を挿入した場合の断面図、（ｄ）は上側の挟持部材が斜めに傾くような指先を挿入した場合の断面図である。
【図１４】本発明の比較例の指先クリップを示す図で、（ａ）は閉じた状態の側面図、（ｂ）〜（ｅ）は開いた状態の側面図である。
【図１５】（ａ）は本発明の更に別の比較例の指先クリップを示す図、（ｂ）はそれに使用する閉バネの側面図である。
【図１６】従来例の指先クリップの側面図（ａ）及び正面図（ｂ）である。
【図１７】従来の指先クリップを指の太い人に適用した場合（ａ）と指の細い人に適用した場合（ｂ）を比べて示す図である。
【図１８】他の従来の指先クリップの装着途中の状態（ａ）及び装着後の状態（ｂ）を示す図である。
【符号の説明】
【００８０】
Ｍ  指先
１  第１の挟持部材（他方の挟持部材）
１Ａ  本体
１Ｂ  カバー
２  第２の挟持部材（一方の挟持部材）
５  指先挿入部
６  発光部
７  受光部
１１  ブラケット
１２  軸部（ガイド機構）
１３  ガイド溝（ガイド機構）
２０  閉バネ
２０ａ  ループ部
２０ｂ  固定端
２０ｃ  第２の屈曲部
２０ｄ  第２の屈曲部
２０ｅ  端末部
２１  第１の押圧点
２２  第２の押圧点
３１，３２  凹面壁
８０  グリップ部
９０  表示部
１０１  切欠溝
１０３  嵌合部
【図１】
0004516002.tif 000002
【図２】
0004516002.tif 000003
【図３】
0004516002.tif 000004
【図４】
0004516002.tif 000005
【図５】
0004516002.tif 000006
【図６】
0004516002.tif 000007
【図７】
0004516002.tif 000008
【図８】
0004516002.tif 000009
【図９】
0004516002.tif 000010
【図１０】
0004516002.tif 000011
【図１１】
0004516002.tif 000012
【図１２】
0004516002.tif 000013
【図１３】
0004516002.tif 000014
【図１４】
0004516002.tif 000015
【図１５】
0004516002.tif 000016
【図１６】
0004516002.tif 000017
【図１７】
0004516002.tif 000018
【図１８】
0004516002.tif 000019